(57)【要約】【課題】      放送信号を記録するとともに車両周囲の映像信号を圧縮して放送信号に同期させて記録する一方、圧縮した映像信号を解凍して記録した放送信号と同期再生することができる車両用信号記録再生装置を提供する。【解決手段】  ＡＤ変換部１０でＡＤ変換された放送信号と、記録画像処理部２０でデジタイズおよび圧縮された車両周囲の映像信号と、放送信号および映像信号の同期信号とが記録部４０に記録される。また、記録部４０に記録された映像信号が再生画像処理部６０で解凍され、記録部４０に記録された同期信号に基づいて記録部４０に記録された放送信号と同期再生される。【選択図】      図１
2007013308.tif 000002
【特許請求の範囲】
【請求項１】
無線周波数信号を記録するとともに、車両の走行位置を特定可能な映像信号を圧縮し前記無線周波数信号に同期させて同期信号とともに記録する信号記録部と、
前記信号記録部に記録した前記映像信号の圧縮を解凍し、解凍した前記映像信号と前記信号記録部に記録した前記無線周波数信号とを前期記録部に記録した前記同期信号に基づいて同期再生する信号再生部とを備えたことを特徴とする車両用信号記録再生装置。
【請求項２】
無線周波数信号を記録するとともに、車両の走行位置を特定可能な映像信号を圧縮し前記無線周波数信号に同期させて同期信号とともに記録する信号記録部を備えたことを特徴とする車両用信号記録再生装置。
【請求項３】
記録部に記録された無線周波数信号と、前記記録部に圧縮して記録された車両の走行位置を特定可能な映像信号と、前記記録部に記録された前記無線周波数信号と前記映像信号との同期信号とを取り出し、前記映像信号の圧縮を解凍するとともに解凍した該映像信号と前記無線周波数信号とを前記同期信号に基づいて同期再生する信号再生部を備えたことを特徴とする車両用信号記録再生装置。
【請求項４】
前記信号記録部は、無線周波数信号を受信して出力する無線周波数信号受信装置の出力信号をデジタル信号に変換して出力するＡＤ変換部と、車両の走行位置を特定可能な映像信号を撮影して映像信号を出力する撮影装置の出力信号をデジタル信号に変換しかつ圧縮して出力する記録画像処理部と、前記ＡＤ変換部の出力信号と前記記録画像処理部の出力信号とを記録する記録部と、前記ＡＤ変換部の前記出力信号と前記記録画像処理部の前記出力信号とを同期させて同期信号とともに前記記録部に記録させる記録制御部とを備えたことを特徴とする請求項１および請求項２に記載の車両用信号記録再生装置。
【請求項５】
前記信号再生部は、前記信号記録部に記録された前記記録画像処理部の前記出力信号を解凍してアナログ信号に変換する再生画像処理部と、前記信号記録部に記録された前記ＡＤ変換部の前記出力信号をアナログ信号に変換するＤＡ変換部と、前記再生画像処理部の出力信号と前記ＤＡ変換部の出力信号を前記記録部に記録された前記同期信号に基づいて同期再生する再生制御部とを備えたことを特徴とする請求項１および請求項３に記載の車両用信号記録再生装置。
【請求項６】
前記車両の走行位置を特定可能な映像信号が、車両に設けられた撮影装置によって撮影された車両周囲の映像信号であることを特徴とする請求項１から請求項５に記載の車両用信号記録再生装置。
【請求項７】
前記無線周波数信号と前記映像信号の同期は、前記映像信号のフレーム毎に行われることを特徴とする請求項１から請求項５に記載の車両用信号記録再生装置。
【発明の詳細な説明】
【技術分野】
【０００１】
本発明は、車両用信号記録再生装置に関するものである。
【背景技術】
【０００２】
一般に、ＡＭ放送やＦＭ放送、地上アナログＴＶ放送、地上デジタルＴＶ放送、モバイル放送等の放送信号の受信機の開発において、試作した受信機の性能評価は重要であり、特に車載を目的とした受信機は、移動環境下での性能評価、いわゆるフィールドテストが必須である。しかしながら、フィールドテストは準備と実施に多大な時間と労力を必要とし、実験評価を効率よく行うことが難しい。また、同一の移動環境下で繰り返しフィールドテストを行うことは非常に困難である。このため、受信機が利用される実環境で放送信号等の無線周波数信号を受信記録し、記録した無線周波数信号を実験室内で再生して、実際の電波環境を再現する車両用信号記録再生装置が提案されている（特許文献１）。
【０００３】
このようなフィールドテストにおいては、フィールドの状態、すなわち地形や周囲の建造物等の影響により電波環境が変化するため、放送信号の記録とともにフィールドの撮影画像等を記録しておくことで、電波環境の変化の要因を効率よく特定することが可能となり、測定結果の解析が容易になる。このため、放送信号とフィールドの撮影画像とを同時に記録する信号記録装置が本出願人により提案されている（特許文献２）。
【特許文献１】特開平１１−１８３５４４号公報
【特許文献２】特開２００３−１０１４８８号公報
【発明の開示】
【発明が解決しようとする課題】
【０００４】
ところで、通常フィールドテストはある程度の時間継続して行うため、放送信号の記録と共にデータ量の多いフィールドの撮影画像を同時に記録した場合、データ量が膨大となりデータを記録する記録部の記録媒体を膨大に消費してしまうという問題がある。
【０００５】
本発明の課題は、無線周波数信号を記録するとともに車両の走行位置を特定可能な映像信号を圧縮して無線周波数信号に同期させて記録する一方、圧縮した映像信号を解凍し、記録した無線周波数信号と同期再生することができる車両用信号記録再生装置を提供することにある。
【課題を解決するための手段】
【０００６】
上記課題を解決するために、請求項１に記載の発明は、無線周波数信号を記録するとともに、車両の走行位置を特定可能な映像信号を圧縮し前記無線周波数信号に同期させて同期信号とともに記録する信号記録部と、前記信号記録部に記録した前記映像信号の圧縮を解凍し、解凍した前記映像信号と前記信号記録部に記録した前記無線周波数信号とを前期記録部に記録した前記同期信号に基づいて同期再生する信号再生部とを備えたことを特徴としている。
【０００７】
上記構成によれば、車両の走行位置を特定可能な映像信号を圧縮し、無線周波数信号と同期させて記録することができる。また記録した映像信号の圧縮を解凍し、記録した無線周波数信号に同期させて再生することができる。また映像信号は圧縮されてデータ量が縮小されて記録されるため、データを記録する記録部の記録媒体を膨大に消費してしまうという問題を回避することができる。
【０００８】
また請求項２に記載の発明は、無線周波数信号を記録するとともに、車両の走行位置を特定可能な映像信号を圧縮し前記無線周波数信号に同期させて同期信号とともに記録する信号記録部を備えたことを特徴としている。
【０００９】
上記構成によれば、車両の走行位置を特定可能な映像信号を圧縮し、無線周波数信号と同期させて記録することができる。また映像信号は圧縮されてデータ量が縮小されて記録されるため、データを記録する記録部の記録媒体を膨大に消費してしまうという問題を回避することができる。
【００１０】
また請求項３に記載の発明は、記録部に記録された無線周波数信号と、前記記録部に圧縮して記録された車両の走行位置を特定可能な映像信号と、前記記録部に記録された前記無線周波数信号と前記映像信号との同期信号とを取り出し、前記映像信号の圧縮を解凍するとともに解凍した該映像信号と前記無線周波数信号とを前記同期信号に基づいて同期再生する信号再生部を備えたことを特徴としている。
【００１１】
上記構成によれば、圧縮して記録した映像信号の圧縮を解凍し、記録した無線周波数信号に同期させて再生することができる。
【００１２】
また請求項４に記載の発明は、請求項１および請求項２において、前記信号記録部は、無線周波数信号を受信して出力する無線周波数信号受信装置の出力信号をデジタル信号に変換して出力するＡＤ変換部と、車両の走行位置を特定可能な映像信号を撮影して映像信号を出力する撮影装置の出力信号をデジタル信号に変換しかつ圧縮して出力する記録画像処理部と、前記ＡＤ変換部の出力信号と前記記録画像処理部の出力信号とを記録する記録部と、前記ＡＤ変換部の前記出力信号と前記記録画像処理部の前記出力信号とを同期させて同期信号とともに前記記録部に記録させる記録制御部とを備えたことを特徴としている。
【００１３】
上記構成によれば、車両の走行位置を特定可能な映像信号を圧縮し、無線周波数信号と同期させて記録することができる。また映像信号は圧縮されてデータ量が縮小されて記録されるため、データを記録する記録部の記録媒体を膨大に消費してしまうという問題を回避することができる。
【００１４】
また請求項５に記載の発明は、請求項１および請求項３において、前記信号再生部は、前記信号記録部に記録された前記記録画像処理部の前記出力信号を解凍してアナログ信号に変換する再生画像処理部と、前記信号記録部に記録された前記ＡＤ変換部の前記出力信号をアナログ信号に変換するＤＡ変換部と、前記再生画像処理部の出力信号と前記ＤＡ変換部の出力信号を前記記録部に記録された前記同期信号に基づいて同期再生する再生制御部とを備えたことを特徴としている。
【００１５】
上記構成によれば、圧縮して記録した映像信号の圧縮を解凍し、記録した無線周波数信号に同期させて再生することができる。
【００１６】
また請求項６に記載の発明は、請求項１から請求項５において、前記車両の走行位置を特定可能な映像信号が、車両に設けられた撮影装置によって撮影された車両周囲の映像信号であることを特徴としている。
【００１７】
上記構成によれば、記録した無線周波数信号を再生する際に、無線周波数信号を記録したフィールドの状況を画像で確認することができる。このため、電波環境の変化の要因を効率よく特定することが可能となり、測定結果の解析が容易になる。
【００１８】
また請求項７に記載の発明は、請求項１から請求項５において、前記無線周波数信号と前記映像信号の同期は、前記映像信号のフレーム毎に行われることを特徴としている。
【００１９】
上記構成によれば、無線周波数信号と映像信号は映像信号のフレーム毎に同期がとられ、記録時および再生時に確実な同期が行われる。
【発明の効果】
【００２０】
本発明によれば、無線周波数信号を記録するとともに車両の走行位置を特定可能な映像信号を圧縮して無線周波数信号に同期させて記録する一方、圧縮した映像信号を解凍し、記録した無線周波数信号と同期再生することができる車両用信号記録再生装置を提供することができる。
【発明を実施するための最良の形態】
【００２１】
以下、本発明の実施例を図面に従って説明する。
【実施例】
【００２２】
本実施例では、放送信号を記録するとともに、車両周囲の映像信号を圧縮して放送信号に同期させて記録する一方、圧縮した映像信号を解凍し、記録した放送信号と同期再生することができる車両用信号記録再生装置についての説明を行う。
【００２３】
図１に本発明の実施例のブロック図を示す。
【００２４】
ラジオ等の放送信号受信機（図示省略）から出力されたアナログ放送信号は、ＡＤ変換部１０に入力される。ＡＤ変換部１０は取り込んだアナログ放送信号をデジタル信号に変換し、記録部４０が備える放送信号記録部４１に出力する。放送信号記録部４１は取り込んだ放送信号を記録する。
【００２５】
車載カメラ等の車両周囲映像撮影装置（図示省略）から出力されるアナログ映像信号が入力される記録画像処理部２０は、デジタイザ２１と、フレームメモリ２２と、画像圧縮部２３とを備えている。
【００２６】
車両周囲映像撮影装置から出力されたアナログ映像信号は、デジタイザ２１に入力される。デジタイザ２１は、入力された映像信号のフレーム毎にアナログ映像信号を取り込み、取り込んだ映像信号をデジタイズしてフレームメモリ２２に出力する。フレームメモリ２２は１フレーム毎の映像信号データを所定のフレーム数記録する。デジタイザ２１から取り込んだ映像信号データが所定のフレーム数を越えると、一番古く記録した１フレーム分の映像信号データが画像圧縮部２３に出力される。画像圧縮部２３は取り込んだ１フレーム分の映像信号データを圧縮処理し、記録部４０が備える映像信号記録部４２へ出力する。映像信号記録部４２は取り込んだ映像信号データを記録する。
【００２７】
記録制御部３０は、ＡＤ変換部１０に放送信号のＡＤ変換を行わせるため、所定の時間間隔Ｔｂｓ毎にＡＤ変換部１０にＡＤ変換トリガ信号を出力する。またデジタイザ２１のデジタイズ開始時刻間ＴｖｓのＡＤ変換トリガ信号数をカウントし（後述）、カウント数（後述するサンプリングカウンタＣｓの値）を記録部４０が備える同期信号記録部４３へ出力する。
【００２８】
再生制御部７０は、所定の時間間隔Ｔｂｓ毎にＤＡ変換部５０にＤＡ変換トリガ信号を出力する。ＤＡ変換部５０は時間間隔Ｔｂｓ毎に放送信号記録部４１に記録された放送信号を取り込み、アナログ信号に変換して外部へ出力する。
【００２９】
また再生制御部７０は同期信号記録部４３に記録されたサンプリングカウンタＣｓの値を取り込み、ＤＡ変換部５０が出力する放送信号と再生画像処理部６０が出力する映像信号との同期制御を行う（後述）。
【００３０】
再生画像処理部６０は、画像解凍部６１と、フレームメモリ６２と、転送制御部６３とを備えている。
【００３１】
画像解凍部６１は、映像信号記録部４２から１フレーム毎の映像信号データを取り込み、取り込んだ映像信号データを解凍してフレームメモリ６２に出力する。フレームメモリ６２は１フレーム毎の映像信号データを所定のフレーム数記録する。フレームメモリ６２は転送制御部６３から映像信号データの転送命令を受け取ると、１フレーム分の映像信号データを転送制御部６３に出力し、転送制御部６３は映像信号データをアナログ信号に変換して外部へ出力する。
【００３２】
再生制御部７０は、同期信号記録部４３に記録されたサンプリングカウンタＣｓの値とＤＡ変換部５０へのＤＡ変換トリガ信号の出力回数が一致した際に、転送制御部６３にトリガ信号を出力し、映像信号の転送命令を出力させる。この動作により、放送信号と映像信号の同期再生が可能となる。
【００３３】
次に、各信号の記録時の記録制御部３０の動作と、各信号の再生時の再生制御部７０の動作を、図３、図４のフローチャートを用いて説明する。  
【００３４】
各信号の記録時の記録制御部３０の動作の概要は次のようになる。
【００３５】
放送信号は所定時間間隔ＴｂｓごとにＡＤ変換部１０によりサンプリング（ＡＤ変換）が行われ、サンプリング後のデジタルデータが自動的に放送信号記録部４１に記録される。
【００３６】
映像信号は映像信号１フレーム毎にデジタイザ２１によりデジタイズが行われ、フレームメモリ２２で一旦映像信号データがホールドされた後に、画像圧縮部２３により１フレーム毎に映像信号データの圧縮が行われる。圧縮された１フレーム毎の映像信号データは自動的に映像信号記録部４２に記録される。
【００３７】
ここで、映像信号のデジタイズ開始時点の放送信号のサンプリングカウンタＣｓを１とし、次の映像信号のデジタイズ開始時点までの間、放送信号のサンプリングが行われる度にサンプリングカウンタＣｓの値をプラス１づつ加算し、次の映像信号のデジタイズ開始時点直前のサンプリングカウンタの値を同期信号記録部４３に記録した後に、サンプリングカウンタＣｓの値を１に戻す。この状態を図２に示す。
【００３８】
このように放送信号、映像信号、同期信号を記録することで、再生時に放送信号と映像信号を同期させて再生することが可能となる（後述）。
【００３９】
以下、図３のフローチャートにより、記録制御部３０の上記動作フローを説明する。
【００４０】
ステップＳ１０１では、外部の指示装置（図示省略）から記録開始信号を受け取ったかどうかが判定される。記録開始信号を受け取った場合は、フローはステップＳ１０２へ移行する。一方、記録開始信号を受け取っていない場合は、フローはステップＳ１０１へ戻る。
【００４１】
ステップＳ１０２では、放送信号のＡＤ変換回数（サンプリング回数）をカウントするサンプリングカウンタＣｓに値０が設定される。また映像信号のフレーム数をカウントするフレームカウンタＣｖに値０が設定される。放送信号と映像信号の同期は、このサンプリングカウンタＣｓとフレームカウンタＣｖによって制御が行われる（後述）。この後に、フローはステップＳ１０３へ移行する。
【００４２】
ステップＳ１０３では、サンプリングカウンタＣｓの値がプラス１加算される。この後に、フローはステップＳ１０４へ移行する。
【００４３】
ステップＳ１０４では、放送信号のＡＤ変換（サンプリング）を行うＡＤ変換トリガ信号をＡＤ変換部１０に出力する。ＡＤ変換部１０でＡＤ変換された放送信号は放送信号記録部４１に自動的に記録される。この後に、フローはステップＳ１０５へ移行する。
【００４４】
ステップＳ１０５では、デジタイザ２１により映像信号のデジタイズが開始されたかどうかが判定される。映像信号のデジタイズが開始された場合は、フローはステップＳ１０６へ移行する。映像信号はデジタイズされてフレームメモリ２２に一旦ホールドされた後、画像圧縮部２３で圧縮されて映像信号記録部４２に自動的に記録される。一方、映像信号のデジタイズが開始されていない場合、またはデジタイズが行われている場合は、フローはステップＳ１０９へ移行する。
【００４５】
ステップＳ１０６では、フレームカウンタＣｖの値がプラス１加算される。この後に、フローはステップＳ１０７へ移行する。
【００４６】
ステップＳ１０７では、サンプリングカウンタＣｓおよびフレームカウンタＣｖの値が同期信号記録部４３に記録される。この後に、フローはステップＳ１０８へ移行する。
【００４７】
ステップＳ１０８では、サンプリングカウンタＣｓに値０が設定される。この後に、フローはステップＳ１０９へ移行する。
【００４８】
ステップＳ１０９では、ステップＳ１０４でＡＤ変換トリガ信号が出力された後に、所定時間Ｔｂｓが経過したかどうかが判定される（図２参照）。所定時間Ｔｂｓが経過した場合は、放送信号の次のサンプリングを行うため、フローはステップＳ１０３へ移行する。一方、所定時間Ｔｂｓが経過していない場合は、フローはステップＳ１１０へ移行する。
【００４９】
ステップＳ１１０では、外部の指示装置から記録終了信号を受け取ったかどうかが判定される。記録終了信号を受け取った場合は、フローはステップＳ１１１へ移行する。一方、記録終了信号を受け取っていない場合は、フローはステップＳ１０５へ戻る。
【００５０】
ステップＳ１１１で記録制御部３０の記録制御動作は終了する。
【００５１】
以上の動作フローにより、放送信号受信装置で受信した放送信号をデジタル化し、放送信号記録部４１に記録することができる。また、車両周囲映像撮影装置で撮影した車両周囲の映像信号をデジタイズした後に圧縮し、映像信号記録部４２に記録することができる。また放送信号と映像信号の同期信号を同期信号記録部４３に記録することができる。
【００５２】
次に、各信号の再生時の再生制御部７０の動作について説明する。動作の概要は次のようになる。
【００５３】
再生制御部７０は放送信号のサンプリング間隔Ｔｂｓ毎にＤＡ変換部５０にトリガ信号を送り、放送信号記録部４１に記録された放送信号がアナログ信号に変換されて出力される。同時に同期信号記録部４３に記録されたサンプリングカウンタＣｓの値を取り込み、記録されたサンプリングカウンタＣｓの値の数だけ放送信号のＤＡ変換を行ったときに、転送制御部６３にフレームメモリ６２にホールドされた映像信号データの転送を促すトリガ信号を送る。
【００５４】
映像信号記録部４２に記録された映像信号データは、フレーム毎に逐次画像解凍部６１に送られて圧縮された映像信号データが解凍された後に、フレームメモリ６２に一旦ホールドされる。ホールドされた映像信号データは転送制御部６３からの転送信号を受け取った際にアナログ映像信号に変換された後に外部に出力される。
【００５５】
以下、図４のフローチャートにより、再生制御部７０の上記動作のフローを説明する。
【００５６】
ステップＳ２０１では、外部の指示装置（図示省略）から再生開始信号を受け取ったかどうかが判定される。再生開始信号を受け取った場合は、フローはステップＳ２０２へ移行する。一方、再生開始信号を受け取っていない場合は、フローはステップＳ２０１へ戻る。
【００５７】
ステップＳ２０２では、放送信号のＤＡ変換回数をカウントするサンプリングカウンタＣｓに値０が設定される。また映像信号のフレーム数をカウントするフレームカウンタＣｖに値０が設定される。放送信号と映像信号の同期は、このサンプリングカウンタＣｓとフレームカウンタＣｖによって制御が行われる（後述）。この後に、フローはステップＳ２０３へ移行する。
【００５８】
Ｓ２０３では、同期信号記録部４３に記録されたサンプリングカウンタＣｓの値が映像信号の出力タイミングを制御する映像信号再生カウンタＣｓｒとして読み込まれる。この後に、フローはステップＳ２０４へ移行する。
【００５９】
ステップＳ２０４では、サンプリングカウンタＣｓの値がプラス１加算される。この後に、フローはステップＳ２０５へ移行する。
【００６０】
ステップＳ２０５では、放送信号のＤＡ変換を行うトリガ信号をＤＡ変換部５０に出力する。ＤＡ変換されてアナログ信号に変換された放送信号は外部に出力される。この後に、フローはステップＳ２０６へ移行する。
【００６１】
ステップＳ２０６では、サンプリングカウンタＣｓの値が映像信号再生カウンタＣｓｒに等しいかどうか、すなわち、映像信号を出力するタイミングであるかどうかが判定される。サンプリングカウンタＣｓの値が映像信号再生カウンタＣｓｒに等しい場合は、フローはステップＳ２０７へ移行する。一方、サンプリングカウンタＣｓの値が映像信号再生カウウンタＣｓｒに等しくない場合は、フローはステップＳ２１０へ移行する。
【００６２】
ステップＳ２０７では、サンプリングカウンタＣｓに値０が設定される。この後に、フローはステップＳ２０８へ移行する。
【００６３】
ステップＳ２０８では、同期信号記録部４３に記録された次のサンプリングカウンタＣｓの値が映像信号再生カウンタＣｓｒとして読み込まれる。この後に、フローはステップＳ２０９へ移行する。
【００６４】
ステップＳ２０９では、フレームメモリ６２にホールドされている映像信号データを出力させるトリガ信号および同期信号記録部４３に記録されたフレームカウンタＣｖの値を転送制御部６３に出力する。再生制御部７０からこのトリガ信号およびフレームカウンタＣｖの値を受け取った転送制御部６３は、フレームメモリ６２にホールドされている圧縮解凍された映像信号データの内、フレームカウンタＣｖの値に対応する映像信号データを転送制御部６３に出力する。転送制御部６３はこの映像信号データをアナログ映像信号に変換した後、外部に出力する。この後に、フローはステップＳ２１０へ移行する。
【００６５】
ステップＳ２１０では、ステップＳ２０５でＤＡ変換トリガ信号が出力された後に、所定時間Ｔｂｓが経過したかどうかが判定される。所定時間Ｔｂｓが経過した場合は、記録された放送信号の次の出力を行うため、フローはステップＳ２０４へ移行する。一方、所定時間Ｔｂｓが経過していない場合は、フローはステップＳ２１１へ移行する。
【００６６】
ステップＳ２１１では、放送信号が放送信号記録部４１に残っているかどうかが判定される。放送信号が放送信号記録部４１に残っている場合は、フローはステップＳ２１２に移行する。一方、記録された放送信号をすべて出力し、放送信号が放送信号記録部４１に残っていない場合は、フローはステップＳ２１３に移行する。
【００６７】
ステップＳ２１２では、外部の指示装置から再生終了信号を受け取ったかどうかが判定される。再生終了信号を受け取った場合は、フローはステップＳ２１３へ移行する。一方、再生終了信号を受け取っていない場合は、フローはステップＳ２０６へ戻る。
【００６８】
ステップＳ２１３で再生制御部７０の再生制御動作は終了する。
【００６９】
以上の動作フローにより、映像信号記録部４２に圧縮記録された映像信号データの圧縮を解凍し、放送信号記録部４１に記録された放送信号と解凍した映像信号とを同期信号記録部に記録された同期信号に基づき同期させて再生することができる。
【００７０】
なお、上記ＡＤ変換部１０、記録画像処理部２０、記録制御部３０、記録部４０が請求項の信号記録部にあたる。また、記録部４０、ＤＡ変換部５０、再生画像処理部６０、再生制御部７０が請求項の信号再生部にあたる。
【００７１】
以上の動作により、膨大なデータ量を有する映像信号を圧縮し、放送信号に同期させて記録することができる。これにより、膨大なデータ量を有する映像信号のデータ量を縮小することが可能となり、所定の記録容量を有する映像記録部に対しては、圧縮記録しない場合に比べ、より多くの映像信号を記録することが可能となる。また所定のデータ量を記録させる場合は、より少ない記録容量で記録可能となるため、映像信号記録部４２のサイズの縮小化やコストダウンを図ることができる。
【００７２】
また記録した放送信号を再生することができる。これにより、同一の電波環境を実験室内で再現可能となり、フィールドテストを繰り返し行う必要がなくなり、実験を効率よく進めることができる。
【００７３】
また圧縮した映像信号を解凍し、放送信号に同期させて再生することができる。これにより、放送信号を受信した際の車両周囲の映像を実験室内で確認することができ、放送信号の受信状況を目視確認できるようになるため、放送信号に変動があった場合の変動要因を容易に推定することができ、解析評価を効率よく行うことができる。
【００７４】
以上、本発明の実施例を図面により詳述したが、実施例は本発明の例示にしか過ぎず、本発明は実施例の構成にのみ限定されるものではない。したがって本発明の要旨を逸脱しない範囲の設計の変更等があっても本発明に含まれることはもちろんである。
【００７５】
例えば、放送信号と映像信号を同期させる方法は、本実施例に記載した方法に限定されず、放送信号と映像信号を同期させて記録し、また再生時にも同期させて再生することができる方法であればどのような方法を用いても良い。
【００７６】
また映像信号の圧縮方法は、どのような方法を用いても良い。
【００７７】
また記録部４０は、デジタルデータを記録可能な記録媒体であれば良い。
【図面の簡単な説明】
【００７８】
【図１】本発明の実施例のブロック図である。
【図２】本発明の実施例の放送信号と映像信号の同期方法を説明する図である。
【図３】本発明の実施例の記録制御部３０の制御動作のフローチャートである。
【図４】本発明の実施例の再生制御部７０の制御動作のフローチャートである。
【符号の説明】
【００７９】
１０  ＡＤ変換部
２０  記録画像処理部
２１  デジタイザ
２２  フレームメモリ
２３  画像圧縮部
３０  記録制御部
４０  記録部
４１  放送信号記録部
４２  映像信号記録部
４３  同期信号記録部
５０  ＤＡ変換部
６０  再生画像処理部
６１  画像解凍部
６２  フレームメモリ
６３  転送制御部
７０  再生制御部
【図１】
2007013308.tif 000003
【図２】
2007013308.tif 000004
【図３】
2007013308.tif 000005
【図４】
2007013308.tif 000006